(57)【要約】  【課題】  従来、各種制御のためのプログラム等を修正等したい場合に、放送波による修正プログラムのダウンロードにより、あるいはまた修正プログラムが記憶されているメモリカードを機器に挿入することにより、プログラムの書換えを行なうことが提案されていたが、いずれも対応するための装置が必要なことからコスト高となっていた。【解決手段】  上記課題を解決するべく、映像信号処理回路１０に接続された外部映像信号入力端子３及び音声信号処理回路５に接続された外部音声信号入力端子２の接続をマイクロプロセッサ６の入力部７、１１に切り換え、特定のデータを記憶しているフラッシュメモリ１９のデータを入力端子２及び３から入力した信号を用いてマイクロプロセッサ６により書き換えるようにした。【選択図】  図１
2005184453.tif 000002
【特許請求の範囲】
【請求項１】
外部映像信号が入力される第１の入力端子と、この第１の入力端子に入力される外部映像信号を処理する映像信号処理回路と、外部音声信号が入力される第２の入力端子と、この第２の入力端子に入力される外部音声信号を処理する音声信号処理回路と、機器の動作に関連したデータが記憶されたメモリと、このメモリに記憶された前記データを外部からの書換え用データに基づき書き換える書換え制御手段と、前記第１、第２の入力端子の接続をそれぞれ前記映像信号処理回路及び音声信号処理回路から前記書換え制御手段に切り換える切換手段とを具備し、前記第１、第２の入力端子から入力される前記書換え用データに基づき前記メモリのデータを書き換え可能に構成したことを特徴とするデータ書換え装置。
【請求項２】
請求項１記載のデータ書換え装置において、前記切換手段は切換のための専用スイッチを具備したことを特徴とするデータ書換え装置。
【請求項３】
請求項１記載のデータ書換え装置において、前記切換手段は他の目的のための操作スイッチを利用して切換を行なうものであることを特徴とするデータ書換え装置。
【請求項４】
請求項１乃至３のいずれかに記載のデータ書換え装置において、前記書換え用データは機器の制御用プログラムにかかるデータ及びデータクロックであることを特徴とするデータ書換え装置。
【請求項５】
請求項４記載のデータ書換え装置において、前記機器の制御用プログラムにかかるデータ及びデータクロックの一方は前記第１の入力端子から入力されるものであり、他方は前記第２の入力端子から入力されるものであることを特徴とするデータ書換え装置。
【発明の詳細な説明】
【技術分野】
【０００１】
本発明は、例えばカラーテレビジョン受像機の制御プログラムの書換え装置等のデータ書換え装置に関する。
【背景技術】
【０００２】
カラーテレビジョン受像機や衛星放送受信用チューナ等の機器において、各種制御のためのプログラム等をバージョンアップや修正等したい場合に、放送波による修正プログラムのダウンロードにより、あるいはまた更新や修正、または追加されたプログラムが記憶されたメモリカードを機器に挿入することにより、プログラムの書換えを行なうことが提案されている。特許文献１は、操作ガイドにかかるデータの変更・追加にかかるものであるが、上記放送波によるダウンロードやメモリカードにより操作ガイド自体の変更・追加を行なうことができるようにしたデジタルテレビ受信装置を開示している。
【０００３】
しかしながら放送波によるダウンロードでは、データの復調装置が必要なこと、メモリカードによるものでは装置にカード挿入口及びカードリーダを設ける必要があり、コスト高を招くことになる。
【特許文献１】特開２００３−３０４４６７号公報（第３頁乃至第４頁、図１）
【発明の開示】
【発明が解決しようとする課題】
【０００４】
上述したように、従来のデータ等の書換え方法によればコスト高を招くという問題があった。本発明はこのような点に鑑みてなされたもので、データ等の変更や追加が可能なデータ書換え装置を比較的安価に提供することを目的とする。
【課題を解決するための手段】
【０００５】
上記目的を達成するために、請求項１にかかるデータ書換え装置は、外部映像信号が入力される第１の入力端子と、この第１の入力端子に入力される外部映像信号を処理する映像信号処理回路と、外部音声信号が入力される第２の入力端子と、この第２の入力端子に入力される外部音声信号を処理する音声信号処理回路と、機器の動作に関連したデータが記憶されたメモリと、このメモリに記憶された前記データを外部からの書換え用データに基づき書き換える書換え制御手段と、前記第１、第２の入力端子の接続をそれぞれ前記映像信号処理回路及び音声信号処理回路から前記書換え制御手段に切り換える切換手段とを具備し、前記第１、第２の入力端子から入力される前記書換え用データに基づき前記メモリのデータを書き換え可能に構成したことを特徴とするものである。
【０００６】
また、請求項２にかかるデータ書換え装置は、請求項１記載のデータ書換え装置において、前記切換手段は切換のための専用スイッチを具備したことを特徴とするものである。
【０００７】
さらに、請求項３にかかるデータ書換え装置は、請求項１記載のデータ書換え装置において、前記切換手段は他の目的のための操作スイッチを利用して切換を行なうものであることを特徴とするものである。
【０００８】
請求項４にかかるデータ書換え装置は、請求項１乃至３のいずれかに記載のデータ書換え装置において、前記書換え用データは機器の制御用プログラムにかかるデータ及びデータクロックであることを特徴とするものである。
【０００９】
請求項５にかかるデータ書換え装置は、請求項４記載のデータ書換え装置において、前記機器の制御用プログラムにかかるデータ及びデータクロックの一方は前記第１の入力端子から入力されるものであり、他方は前記第２の入力端子から入力されるものであることを特徴とするものである。
【発明の効果】
【００１０】
本発明によれば、記憶されているデータ等の変更や追加を実行可能なデータ書換え装置を比較的安価に提供することが出来る。
【発明を実施するための最良の形態】
【００１１】
以下、本発明になるデータ書換え装置の実施の形態について、図面を参照して説明する。
【００１２】
図１は本発明になるデータ書換え装置をテレビジョン受像機に適用した場合の一実施の形態を示す回路ブロック図である。図中、１はテレビジョン受像機本体であり、２は外部機器からの音声信号を本体１に入力する場合の外部音声信号入力端子であり、３は外部機器からの映像信号を本体１に入力する場合の外部映像信号入力端子である。外部音声信号入力端子２及び外部映像信号入力端子３は通常のテレビジョン受像機であれば、一般的に備えられている端子である。
【００１３】
音声信号入力端子２にはスイッチ４の入力端が接続され、このスイッチ４の出力端の一方には音声信号処理回路５が接続され、他方にはマイクロプロセッサ６のデータクロック入力部７及び抵抗８が並列に接続されている。映像信号入力端子３にはスイッチ９の入力端が接続され、このスイッチ９の出力端の一方には映像信号処理回路１０が接続され、出力端の他方にはマイクロプロセッサ６のデータ入力部１１及び抵抗１２が並列に接続されている。なお、抵抗８及び１２の他端側は図示せぬ電源に接続されている。
【００１４】
テレビジョン受像機本体１には上記スイッチ４、９とは別にスイッチ１３が設けられており、このスイッチ１３の出力端の一方はマイクロプロセッサ６の判別信号入力部１４に接続されると共に抵抗１５を介して図示せぬ電源にも接続され、同じくスイッチ１３の出力端の他方はアースされている。
【００１５】
スイッチ４、９、１３は本体１の外部に設けられたトグルスイッチ１６により、連動して切換がなされる３連スイッチ１７となっており、スイッチ１６がＯＦＦ位置にある場合は、スイッチ２は音声信号処理回路５に、スイッチ９は映像信号処理回路１０に、スイッチ１３はアースに接続されている。
【００１６】
マイクロプロセッサ６のデータクロック入力部７、データ入力部１１、判別信号入力部１４は入力されたデータのプログラムへの変換等を実行するローダ制御部１８にいずれも接続され、このローダ制御部１８にはフラッシュメモリ１９及びＬＥＤドライバ２０が並列に接続されている。ＬＥＤドライバ２０には、さらに直列接続された抵抗２１、トランジスタ２２を介してＬＥＤ２３が接続され、ＬＥＤ２３は抵抗２４を介して図示せぬ電源回路に接続されている。なお、ＬＥＤ２３の発光状態は、本体１に設けられた図示せぬ開口部から確認可能とされている。
【００１７】
次に、図１の装置の動作について説明する。なお、ここでは、サービスマンがフラッシュメモリ１９に記憶されているプログラムを書き換える場合を想定して説明する。通常時は、トグルスイッチ１６はＯＦＦ側に位置させておく。これにより、例えばＶＴＲを視聴したい場合、ＶＴＲからの音声信号は音声信号入力端子２及びスイッチ４を介して音声信号処理回路５に入力され、同じくＶＴＲからの映像信号は映像信号入力端子３及びスイッ
チ９を介して映像信号処理回路１０に入力される。従って、音声は図示せぬスピーカから、映像は同じく図示せぬモニタから出力される。
【００１８】
一方、製品出荷時にフラッシュメモリ１９に記憶されているテレビジョン受像機の各種制御プログラムをサービスマンが修正のために書き換える場合は、サービスマンはトグルスイッチ１６をＯＮの位置に設定する。これにより、スイッチ４はマイクロプロセッサ６のデータクロック入力部７に接続され、スイッチ９はデータ入力部１１に接続され、スイッチ１３は判別信号入力部１４に接続されることになる。
【００１９】
以上により、マイクロプロセッサ６の判別信号入力部１４の入力レベルは「Ｌ」レベルとなり、マイクロプロセッサ６は、プログラムの書き換えモードに移行しても良いと判断する。
【００２０】
次にサービスマンは音声信号入力端子２にマイクロプロセッサ６と通信できるデータクロックを入力し、映像信号入力端子３には上記データクロックに同期したシリアルのデータ信号を入力する。従って、音声信号入力端子２から入力されたデータクロックはデータクロック入力部７に入力され、映像信号入力端子３から入力されたデータはデータ入力部１１に入力される。データクロック入力部７及びデータ入力部１１に入力されたデータクロック及びデータはローダ制御部１８にて受信され、ここで受信データが正しいことが確認されると、ローダ制御部１８はフラッシュメモリ１９へデータを書き込む動作を行なう。
【００２１】
なお、ローダ制御部１８にて受信されたデータが正しくない場合は、ＬＥＤドライバ２０を介してＬＥＤ２３が点滅され、サービスマンは上記状況を把握可能である。逆に、フラッシュメモリ１９へのデータ書込み動作が正常に終了した場合には、ＬＥＤドライバ２０を介してＬＥＤ２３が点灯され、サービスマンは書換えの完了を把握出来る。
【００２２】
図１の装置の動作について、マイクロプロセッサ６の制御動作を示すフローチャートである図２も用いてさらに説明する。マイクロプロセッサ６に電源が投入されると、マイクロプロセッサ６は必要な初期化処理を行い（ステップＳ１）、次に判別信号入力部１４の入力レベルが「Ｌ」であるかを判定する。すなわち、プログラム書換えモードか否かを判断する（ステップＳ２）。ここで、入力レベルが「Ｌ」でなければ（すなわち、プログラム書換えモードでなければ）（ステップＳ２でＮＯ）、通常のテレビジョン受像機の信号処理を行い（ステップＳ３）、再びステップＳ２に戻り、判別信号入力部１４の入力レベルを判別する。以後、電源が切れるまでこの処理が繰り返される。
【００２３】
サービス対応等でマイクロプロセッサ６のプログラムを修正する必要があった場合は、サービスマンはトグルスイッチ１６をＯＮ側に倒す。これにより、判別信号入力部１４の入力レベルが「Ｌ」となり、マイクロプロセッサ６はプログラム書換えモードとなったと判断する（ステップＳ２でＹＥＳ）。サービスマンは、次に音声信号入力端子２及び映像信号入力端子３へデータクロックとデータをそれぞれ入力する。マイクロプロセッサ６は入力された上記データが既にロード済か否かを判断する（ステップＳ４）。もしロード済であれば（ステップＳ４でＹＥＳ）、マイクロプロセッサ６は何もせず、ステップＳ２に戻る。
【００２４】
一方、上記データがまだロードされていないものであると判断された場合は（ステップＳ４でＮＯ）、マイクロプロセッサ６はローダ制御部１８を起動して（ステップＳ５）、入力された信号をプログラムのデータに変換する。そして全ての受信したデータに誤りが無いかどうかをチェックする（ステップＳ６）。
【００２５】
もし誤りがあれば（ステップＳ６でＮＯ）、ＬＥＤドライバ２０を駆動してＬＥＤ２３を点滅させ（ステップＳ７）、プログラムの受信が失敗したことを示す。もし、誤りが無ければ（ステップＳ６でＹＥＳ）、フラッシュメモリ１９に受信データを書き込み、ＬＥＤドライバ２０を駆動してＬＥＤ２３を点灯させ（ステップＳ８）、プログラムの書換えが成功したことを示す。サービスマンは、ＬＥＤ２３の点灯状態を確認して再ロードが必要か否かを判断できる。ステップＳ７、Ｓ８終了後、フローは再びステップＳ２に戻る。
【００２６】
なお、本実施の形態において、視聴者にトグルスイッチ１６の操作を行わせることは適切ではないため、このスイッチ１６は筐体から少し奥まった位置に配置し、視聴者からは見えないように配置するのが好ましい。これにより誤操作を防ぐことが出来る。
【００２７】
また、本実施の形態においては、信号経路の切換制御（図１では、スイッチ１７の切換制御）にトグルスイッチ１６を用いたが、上記トグルスイッチの代わりに通常テレビジョン受像機に設けられている各種操作ボタンを用いることも可能である。例えば、２つの特定の操作ボタンを同時に長押しし、この同時長押し状態が所定時間続いたことを上記操作ボタンに接続されたマイクロプロセッサで検出し、このマイクロプロセッサの制御出力で信号経路を切り換えるといった構成を採用することも可能である。このようにすれば、トグルスイッチ１６を設けずに同様の機能を実現できる。この場合、スイッチ１７に代えてアナログスイッチなどの電気的な半導体スイッチを用いれば良い。
【００２８】
さらに、上記実施の形態においては、外部音声信号入力端子２へデータクロックを入力し、外部映像信号入力端子３へデータを入力するようにしているが、入力すべき端子を逆にしても構わないことは勿論である。
【００２９】
以上述べた本実施の形態によれば、テレビジョン受像機本体に内蔵されているマイクロプロセッサのプログラムをキャビネット等を空けることなく外部から書き換えることが出来、且つ安価に上記書換えを実施できる。
【図面の簡単な説明】
【００３０】
【図１】本発明になるデータ書換え装置の一実施の形態を示す回路ブロック図。
【図２】図１の装置の動作を説明するためのフローチャート。
【符号の説明】
【００３１】
１：  テレビジョン受像機本体
２：  外部音声信号入力端子
３：  外部映像信号入力端子
４：  スイッチ
５：  音声信号処理回路
６：  マイクロプロセッサ
７：  データクロック入力部
９：  スイッチ
１０：  映像信号処理回路
１１：  データ入力部
１３：  スイッチ
１４：  判別信号入力部
１６：  トグルスイッチ
１８：  ローダ制御部
１９：  フラッシュメモリ
【図１】
2005184453.tif 000003
【図２】
2005184453.tif 000004